(57)【特許請求の範囲】
【請求項１】
建物の上階に玄関とバルコニとが設けられた住宅であって、
前記玄関の外方に設けられて、下階と連絡する階段またはエレベーターホールと、玄関との間には玄関ポーチが設けられ、
前記玄関ポーチと、バルコニとが連続して設けられていることを特徴とする住宅。
【請求項２】
請求項１記載の住宅において、
前記玄関ポーチとバルコニとは、通路となる通路部を介して連続していることを特徴とする住宅。
【請求項３】
請求項２記載の住宅において、
前記通路部は建物本体の屋根より内側に位置していることを特徴とする住宅。
【請求項４】
請求項３記載の住宅において、
前記通路部は、インナーバルコニユニットで構成されていることを特徴とする住宅。
【請求項５】
請求項１〜４のいずれかに記載の住宅において、
前記玄関ポーチまたは通路部とバルコニとの境界には門扉が設けられていることを特徴とする住宅。
【請求項６】
建物の上階に玄関とバルコニとが設けられた住宅であって、
前記玄関の土間は前記バルコニの少なくとも一部に壁を挟んで隣接して設けられ、
前記土間とバルコニとを仕切る前記壁に出入口が設けられていることを特徴とする住宅。
【請求項７】
請求項１〜６のいずれかに記載の住宅において、
前記バルコニに面して勝手口が設けられていることを特徴とする住宅。
【発明の詳細な説明】
【０００１】
【発明の属する技術分野】
本発明は、建物の上階に玄関とバルコニとが設けられた住宅に関するものである。
【０００２】
【背景の技術】
２世帯住宅や下階を店舗として利用する住宅等では、上階を主な住居とする住人がおり、その際、玄関等の出入口を上階に設ける場合がある。また、集合住宅においては２階以上の階にも玄関が設けられている。特開２０００−１５４６５３号公報には、１階を店舗として利用し、２階と３階を住居として利用する店舗併用住宅が記載されており、敷地と住居とを連絡する屋外階段が２階の玄関と通じていることが示されている。
【０００３】
【発明が解決しようとする課題】
上記従来の技術には次のような課題があった。
第１に、上階に玄関等の出入口を有する住宅では、出入口が玄関に限られる場合が多く、上階の内部へは玄関以外から入ることが出来ない。また、２世帯住宅の場合、下階に住む家族が上階のバルコニへ行きたい場合、一度上階の玄関を上がり、部屋に入る必要がある等、不便な点があった。
第２に、集合住宅等、上階に台所がある場合、台所に設けられた勝手口はバルコニに面している例が多い。１階に台所がある場合は、勝手口からゴミを出したり、来客時に玄関からの出入りが憚られる際の出入り等に使われるが、上階に台所がある住宅では、ゴミを出すときは結局、住宅内部を通過して玄関から出る必要があり不便である。さらに、来客時に玄関から出入りし、屋内を通るのが不都合な場合等に不便である。
本発明は上記課題を鑑みてなされるものであり、上階の住居においても、１階の住居に相当する出入りの利便性を有する住宅を提供することを目的とする。
【０００４】
【課題を解決するための手段】
上記課題に対し、請求項１の発明は、例えば、図１〜３に示すように、建物の上階に玄関２とバルコニ３とが設けられた住宅１であって、
前記玄関２の外方に設けられて、下階と連絡する階段４またはエレベーターホールと、玄関２との間には玄関ポーチ５が設けられ、
前記玄関ポーチ５と、バルコニ３とが連続して設けられていることを特徴としている。
【０００５】
請求項１の発明によれば、前記玄関２の外方に設けられて、下階と連絡する階段４またはエレベーターホールと、玄関２との間には玄関ポーチ５が設けられ、前記玄関ポーチ５と、バルコニ３とが連続して設けられているので、前記玄関ポーチ５とバルコニ３とを直接往来することができる。これにより、上階の屋内を通らなくても屋外からバルコニ３に往来でき、よって、上階においても、１階の庭のある住宅のような出入りの利便性を得ることができる。
【０００６】
請求項２の発明は、請求項１記載の住宅において、
前記玄関ポーチ５とバルコニ３とは、通路となる通路部５ａを介して連続していることを特徴としている。
【０００７】
請求項２の発明によれば、前記玄関ポーチ５とバルコニ３とは、通路部５ａを介して連続しているので、玄関２とバルコニ３とが、離れた位置に設計されても、玄関ポーチ５とバルコニ３とを直接往来可能に設計することができる。また、玄関ポーチ５と通路部５ａとが連続しているので、玄関ポーチ５を広く感じられるような構成とすることができる。
【０００８】
請求項３の発明は、請求項２記載の住宅において、
前記通路部５ａは建物本体の屋根１２より内側に位置していることを特徴としている。
【０００９】
請求項３の発明によれば、前記通路部５ａが建物本体の屋根１２より内側に位置しているので、通路部５ａに上方から直接雨等が降ることがない。また、前記通路部５ａが建物本体の内側に引き込まれたような構成となり、建物全体のバランスが良く、すっきりした外観とすることができる。
【００１０】
請求項４の発明は、例えば、図３に示すように、請求項３記載の住宅において、
前記通路部５ａは、インナーバルコニユニット１０で構成されていることを特徴としている。
【００１１】
請求項４の発明によれば、前記通路部５ａは、インナーバルコニユニット１０で構成されているので、通路部５ａを容易に構築することができ、建築現場での作業を軽減することができる。また、インナーバルコニユニット１０を用いることにより、建築設計の利便性、建物の施工性向上、工期短縮、施工コストの低減等を図ることができる。
【００１２】
請求項５の発明は、例えば、図１，図２，図６〜８に示すように、請求項２〜５のいずれかに記載の住宅において、
前記玄関ポーチ５または通路部５ａとバルコニ３との境界には門扉７が設けられていることを特徴としている。
【００１３】
請求項５の発明によれば、前記玄関ポーチ５または通路部５ａとバルコニ３との境界には門扉７が設けられているので、玄関ポーチ５または通路部５ａとバルコニ３とを門扉７によって仕切ることができる。これにより、外部からの部外者の侵入を抑止する効果があり、防犯の効果を高めることが出来る。また、来客時等、玄関前に立つ人の視線を門扉７により遮ることができる。
【００１４】
請求項６の発明は、例えば、図４および図５に示すように、建物の上階に玄関２とバルコニ３とが設けられた住宅１であって、
前記玄関２の土間６は前記バルコニ３の少なくとも一部に壁１８を挟んで隣接して設けられ、
前記土間６とバルコニ３とを仕切る前記壁１８に出入口８が設けられていることを特徴としている。
【００１５】
請求項６の発明によれば、前記玄関２の土間６は前記バルコニ３の少なくとも一部に壁１８を挟んで隣接して設けられ、前記土間６とバルコニ３とを仕切る前記壁１８に出入口８が設けられているので、前記土間６を通じて玄関２とバルコニ３とを直接出入りすることができる。したがって、履き物を脱ぐことなく、バルコニ３と玄関２とを往来することができる。また、前記土間２の空間には、玄関２と前記出入口８との２つの出入口が設けられることとなり、土間２を開放的な空間とすることができる。
【００１６】
請求項７の発明は、請求項１〜６のいずれかに記載の住宅において、
前記バルコニ３に面して勝手口９が設けられていることを特徴としている。
【００１７】
請求項７の発明によれば、前記バルコニ３に面して勝手口９が設けられているので、上階に台所１１が設けられた住宅においても、勝手口９から建物外部への出入りが可能となる。したがって、例えば、ゴミを出すときや、来客時等に玄関から出入りすることが不都合な場合等に、勝手口９より出入り可能となり、上階においても出入りの利便性を高めることができる。
【００１８】
【発明の実施の形態】
以下、図面を参照して本発明に係る住宅について説明する。図１は第１の実施の形態の例における住宅１の２階を示す平面図であり、図２はこの住宅１の外観を示す斜視図である。前記住宅１は２階に玄関を設けた住宅であり、２階へ連絡する階段４を設けた建物であって、建物の平面がほぼ正方形となっている。
【００１９】
図１において、符号３はバルコニ、符号２は玄関、符号４は外部階段、符号５は玄関ポーチ、符号８は出入口であり、このバルコニ３，玄関２，外部階段４，玄関ポーチ５，出入口８により、本発明における住宅１の２階の主要部が構成されている。
【００２０】
図１，図２に示す住宅１は複数の建物ユニット１０，１６，１９を上下に配置した構成の２階建のユニット住宅である。なお、ユニット住宅においては、建築設計の利便性、建物の施工性向上、工期短縮、施工コストの低減等を図る目的で、建具や内装材等を含む建築資材の規格化が図られており、前記住宅１では、モジュール単位で設計されている。１モジュールの例として９１０ｍｍを挙げることができる。
【００２１】
前記住宅１は、建物本体の東側に設けられた外部階段４より２階に上がると、東側に向けて開口する玄関２が設けられており、この玄関２と外部階段４との間は玄関ポーチ５となっている。さらに、前記玄関ポーチ５と連続し、建物本体の東側の外壁１７に沿って通路部５ａが設けられており、この通路部５ａは、建物本体の南側の全幅に設けられたバルコニ３の東側端部まで延びている。そして、このバルコニ３と通路部５ａとの境界には門扉７が設けられている。
【００２２】
また、通路部５ａの縁部には、平面視長方形の鉢６２が設けられている。この鉢６２には、木や植物を植栽してあり、該鉢６２の長尺方向の辺のうち、建物本体側の辺にはフェンス６２ａが設けられている。
【００２３】
バルコニ３は、住宅１の南側に建物本体の全幅にわたって設けられ、このバルコニ３にはリビングルーム１４と台所１１とが面するように設計されている。リビングルーム１４には、バルコニ３に通じる大きい窓３２と、前記通路部５ａ側に小窓３３が設けられている。また、台所１１にはバルコニ３に通じる扉が設けられて勝手口９となっている。
【００２４】
なお、前記バルコニ３および通路部５ａは、図２に示すように、屋根１２の軒先より内側に位置している。このバルコニ３および通路部５ａは、図３に示すように、インナーバルコニユニット１０，１０により構成されている。このインナーバルコニユニット１０，１０は、屋内の部屋を構成する部分とバルコニ３を構成するバルコニ部１０ａとが一体となって形成されたユニットである。なお、前記屋根１２の軒先部分を支える柱１０ｂ…が、該バルコニ部１０ａの縁部の両端に設けられている。また、前記バルコニ３は、１階の建物ユニット１９…が、２階の建物ユニット１６および前記インナーバルコニユニット１０より前面に突出する部分で形成される。このバルコニ３となる部分には、周囲に手摺り３ａを取り付けている。
【００２５】
本実施の形態の住宅１では、外部階段４によって１階から２階へ上がると玄関ポーチ５があり、この玄関ポーチ５から玄関２の前を通過して通路部５ａを進むと、門扉７があり、この門扉７を開けると、バルコニ３に入ることができる。
【００２６】
本実施の形態の住宅１では、前記通路部５ａによって、玄関ポーチ５とバルコニ３とが連続して設けられているので、通路部５ａを通れば、２階の家屋内に入ることなく、直接２階のバルコニ３と玄関ポーチ５とを往来できる。また、バルコニ３側に開口する勝手口９を設けたので、勝手口９から外部へ直接出入りでき、出入りの利便性が向上する。すなわち、バルコニ３側に設けられた窓３２や勝手口９等の出入口から外部階段４への出入りが可能となり、２階においても、複数の出入口を有する住宅１とすることができ、出入りの利便性が向上する。
【００２７】
さらに、前記通路部５ａとバルコニ３との境界には門扉７が設けられているので、通路部５ａとバルコニ３とを仕切ることができる。また、部外者のバルコニ３への進入を抑止でき、門扉７に鍵を設ければ、バルコニ３側からの出入口に対する防犯対策とすることができる。
【００２８】
また、玄関ポーチ５に連続して通路部５ａを配置することにより、玄関ポーチ５が、より広く感じられる空間を形成することができる。また、玄関ポーチ５とバルコニ３とを離れた位置に設計する必要がある場合でも、前記通路部５ａによって、玄関ポーチ５とバルコニ３とを接続することができる。さらに、前記バルコニ３および通路部５ａは建物本体の屋根１２より内側に位置する構成としたので、雨等が直接入り込むのを防ぐ効果を有する。また、バルコニ３および通路部５ａが建物本体に引き込まれたような外観となり、外観意匠性に優れた住宅１とすることができる。
【００２９】
また、図３に示すように、前記通路部５ａは、インナーバルコニユニット１０で構成されるので、前記屋根１２の軒先より内側に位置する通路部５ａを容易に構築することができる。
【００３０】
また、通路部５ａの東側縁部には鉢６２を設けて植物を植え、さらにフェンス６２ａを設けたので、通路部５ａと外部階段４との間を遮る手摺りとしての効果と、外部からの視線を遮る効果を得られる。また、上階においても植栽スペースを得ることができる。
【００３１】
なお、本実施の形態の住宅１は１戸建て住宅を例に挙げたが、これに限定するものではなく、集合住宅であってもよく、要は上階に玄関２とバルコニ３とが設けられている住宅であればよい。また、住宅はユニット住宅であるとしたが、ユニットに限らず現場施工あるいは、パネル工法による住宅にも適用可能である。
【００３２】
さらに、前記住宅１は外部階段４を下階との昇降手段としたが、これに限定するものではなく、昇降手段としてエレベーターを備えた住宅であっても良い。
【００３３】
次に、第２の実施の形態の例の住宅について説明する。図４および図５は本発明における第２の実施の形態の住宅１であり、図４は、この住宅１の２階の平面図を示しており、図５は該住宅１の外観を示す斜視図である。この住宅１は２世帯住宅であり、１階の玄関２５と２階の玄関２とが独立して設けられている。
【００３４】
図４に示すように、前記住宅１は、２階の北側に、東に向けて開口する玄関２が設けられており、この玄関２の外側には玄関ポーチ５が設けられ、さらに、この玄関ポーチ５は、東側に設けられた１階へ連絡する外部階段４と連接している。また、玄関２の内側に土間６が設けられており、玄関２より入って右側に玄関ホール２２が配置され、この玄関ホール２２に向かって左側には玄関収納２３が設けられている。
【００３５】
玄関ホール２２をさらに奥へ進むと、リビングルーム１４が配置され、リビングルーム１４の北側には台所１１が配置されている。また、リビングルーム１４の南側には窓３２が設けられ、該窓３２の外方には、建物本体の南側の全幅にわたるバルコニー３が設けられている。このバルコニ３は建物本体の西側部分において、前方に突出するようにして設けられている。また、バルコニ３は建物本体の屋根１２の軒先より内側に位置するインナーバルコニーとなっている。
【００３６】
前記土間６は、タイルが敷かれており、該土間６の奥行きは、バルコニ３に面する建物の外壁１８の位置まで達している。前記バルコニ３に面する外壁１８は開口部（出入口）８を有し、この開口部８には扉８１が取り付けられている。この扉８１の枠８３の内側にはサッシ８２がはめられている。また、東側の外壁１７には窓３３，３３が設けられている。前記リビングルーム１４と前記土間６との間の壁１５には、前記外壁１７の窓３３と面する位置に窓３２ａが設けられている。
【００３７】
外部階段４は、建物の東側に、建物本体の外壁１７に沿って設けられ、手摺り４ａを備えている。この階段から２階に上がると、建物の北東の端部に設けられた玄関ポーチ５に到着するように設けられている。
【００３８】
上記住宅１において、１階の外部からバルコニ３へ行くには、外部階段４を登り、玄関ポーチ５に到着すると、玄関扉２１を開けて玄関２の内側に進入し、土間６を前記出入口８へ進み、扉８１を開けるとバルコニ３に到着する。
【００３９】
本実施の形態の例によれば、２階の土間６によって、玄関２からバルコニ３に直接出入りすることができる。したがって、履き物を脱ぐことなく、バルコニ３と外部とを往来することができる。また、土間６は、玄関２からバルコニ３に達する位置まで設けられているので、玄関２の内部を広い空間とすることができる。さらに、土間６には東側の窓３３，３３と、南に面した扉８１のサッシ部８２とにより、土間６を日当たりがよく明るい空間にすることができる。
【００４０】
なお、本実施の形態では２世帯住宅を例に説明したが、これに限定するものではなく、例えば、１階を店舗にして、その上階を住居とした店舗併用住宅や、集合住宅等に用いても良い。
【００４１】
また、下階との連絡手段を外部階段４としたが、これに限定するものではなく、例えば、昇降手段をエレベーターとし、エレベーターホールと玄関ポーチ５とが連続する構成であってもよい。
【００４２】
次に、第３の実施の形態の住宅１について説明する。図６は、前記第２の実施の形態の例で挙げた図４に示す住宅１の２階において、台所１１に勝手口９を設けた例を示す平面図である。この図に示すように、建物本体の北側に設けられている台所１１側にバルコニ３が配設されており、前記台所１１からバルコニ３に向けて開口する勝手口９が設けられている。このバルコニ３と玄関ポーチ５とは連続しており、門扉７により仕切られている。また、玄関２の土間６と建物本体の南側に設けられたバルコニ３とは、前記土間６と通行可能に設けられている。
【００４３】
上記第３の実施の形態における住宅１では、２階の土間６によって、玄関２からバルコニ３に直接出入りすることができる。したがって、履き物を脱ぐことなく、バルコニ３と外部とを往来することができる。また、土間６は、玄関２からバルコニ３に達する位置まで設けられているので、玄関２の内部を広い空間とすることができる。さらに、前記玄関ポーチ５と勝手口３側のバルコニ３とが連続しているので、１階の住居のように勝手口９からゴミを出したり、来客時に玄関からの出入りが憚られる際の出入り等に使うことができる。
【００４４】
次に、図７に示す第４の実施の形態の住宅１について説明する。図７は、本実施の形態の住宅１の２階の平面図である。住宅１は建物本体の表側（玄関２側）と裏側（勝手口９側）にそれぞれ外部階段４ａ，４ｂを設けている。表側（玄関２側）に設けられた外部階段４ａは２階まで上がる途中に踊り場４ｃが設けられ、前記踊り場４ｃから玄関２側に折り返して、さらに数段の階段が設けられている。この２つの外部階段４ａ，４ｂがバルコニ３および通路部５ａによって連続している。すなわち、２階の住居の周囲の三方をバルコニ３および通路部５ａによって囲む構成となっている。また、バルコニ３には、門扉７が玄関２と並んで設けられている。裏側の外部階段４ｂのポーチ４ｄに面して、勝手口９が設けられている。
【００４５】
本実施の形態の例の住宅１によれば、前記２つの外部階段４ａ，４ｂとが、バルコニ３および通路部５ａにより連続しているので、２階の外方に通行可能な通路ができる。また、２階の住居の周囲の三方をバルコニ３および通路部５ａによって囲む構成となり、１階の住居と同様に、２階の各部屋に出入り可能な窓を設けて、出入りを自由に行うことができる。
【００４６】
次に、第５の実施の形態の住宅１について、図８を用いて説明する。図８は、住宅１の２階の平面図である。図８の住宅１では、リビングルーム１４側と、台所１１側と、それぞれが相対する位置にバルコニ３が設けられており、通路部５ａを介して玄関ポーチ５とバルコニ３，３とが連続して設けられている。
【００４７】
リビングルーム１４側のバルコニ３は、インナーバルコニユニット１０を用いて構成され、このバルコニ３と前記玄関ポーチ５とを連絡する通路部５ａもインナーバルコニユニット１０によって構築されている。一方、勝手口９側のバルコニ３は台所１１を構成するユニットに、予めバルコニの形状に形成されたキャンチバルコニ１０ｃを接合して設けられている。この勝手口９側のバルコニ３と前記玄関ポーチ５とを連絡する通路部５ａは、Ｌ字状のキャンチバルコニ１０ｄを取り付けたものであり、玄関ポーチ５と通路部５ａとの境界に門扉７が設けられている。
【００４８】
上記実施の形態の住宅１によれば、勝手口９側のバルコニ３と玄関ポーチ５とを連続可能にする通路部５ａを配設したので、勝手口９のバルコニ３と外部階段４等の下階への昇降手段とを直接通行可能となり、上階においても出入りの利便性をはかることができる。また、前記キャンチバルコニ１０ｄを取り付けることで、バルコニ３と玄関ポーチ５とを連続して設けることができるので、２階の設計の自由度を保ちつつ、バルコニ３と玄関ポーチ５とを連設することができる。
【００４９】
なお、本実施の形態の住宅１では、勝手口９側のバルコニ３と、この勝手口９側のバルコニ３側の通路部５ａとをキャンチバルコニを用いる構成としたが、ユニットに限らず、現場施工あるいはパネル工法による構成にも適用可能である。
【００５０】
【発明の効果】
請求項１の発明によれば、玄関ポーチと、バルコニとが連続して設けられているので、前記玄関ポーチとバルコニとを直接往来することができる。これにより、バルコニに出入口を設けておけば、上階の屋内への出入口を玄関以外にも備えることができる。また、上階においても、１階の庭のある住宅のような出入りの利便性を得ることができる。
【００５１】
請求項２の発明によれば、請求項１と同様の効果を得ることができるのはもちろんのこと、玄関ポーチとバルコニとは、通路部を介して連続しているので、玄関とバルコニとが離れた位置に設計されても、玄関ポーチとバルコニとを直接往来可能に設計することができる。また、玄関ポーチと通路部とは連続しているので、玄関ポーチを広く感じられるような構成とすることができる。
【００５２】
請求項３の発明によれば、請求項２と同様の効果を得ることができるのはもちろんのこと、前記通路部が建物本体の屋根より内側に位置しているので、雨等が直接通路部が建物本体の内側に引き込まれたような構成となり、建物全体のバランスが良く、すっきりした外観とすることができる。
【００５３】
請求項４の発明によれば、請求項３と同様の効果を得ることができるのはもちろんのこと、前記通路部はインナーバルコニユニットで構成されているので、通路部を容易に構築することができ、建築現場での作業を軽減することができる。また、インナーバルコニユニットを用いることにより、建築設計の利便性、建物の施工性向上、工期短縮、施工コストの低減等を図ることができる。
【００５４】
請求項５の発明によれば、請求項１〜４のいずれかと同様の効果を得ることができるのはもちろんのこと、門扉により、玄関ポーチまたは通路部とバルコニとを仕切ることができる。これにより、外部からの侵入を抑止する効果があり、防犯の効果を高めることが出来る。また、来客時等、玄関前に立つ人の視線を門扉により遮ることができる。
【００５５】
請求項６の発明によれば、玄関の土間がバルコニと隣接して設けられ、前記土間とバルコニとを仕切る壁に出入口が設けられているので、前記土間を通じて玄関とバルコニとを直接出入りすることができる。したがって、履き物を脱ぐことなく、バルコニと玄関とを往来することができる。また、前記土間には、玄関と前記出入口との２つの出入口が設けられることとなり、土間を開放的な空間とすることができる。
【００５６】
請求項７の発明によれば、請求項１〜６のいずれかと同様の効果を得ることができるのはもちろんのこと、前記バルコニに面して勝手口が設けられているので、上階の勝手口から、建物外部への出入りが可能となる。したがって、勝手口より出入り可能となり、上階においても出入りの利便性を高めることができる。
【図面の簡単な説明】
【図１】本発明に係る住宅の第１の例における２階の平面図である。
【図２】図１に示す住宅の斜視図である。
【図３】図１に示す住宅の構成を示す斜視図である。
【図４】本発明に係る住宅の第２の例における２階の平面図である。
【図５】図３に示す住宅の斜視図である。
【図６】本発明に係る住宅の第３の例における２階の平面図である。
【図７】本発明に係る住宅の第４の例における２階の平面図である。
【図８】本発明に係る住宅の第５の例における２階の平面図である。
【符号の説明】
１    住宅
２    玄関
３    バルコニ
４，４ａ，４ｂ    階段
５    玄関ポーチ
５ａ  通路部
６    土間
７    門扉
８    出入口
９    勝手口
１０  インナーバルコニユニット
１２  屋根
１８  壁
【図１】
0004495360.tif 000002
【図２】
0004495360.tif 000003
【図３】
0004495360.tif 000004
【図４】
0004495360.tif 000005
【図５】
0004495360.tif 000006
【図６】
0004495360.tif 000007
【図７】
0004495360.tif 000008
【図８】
0004495360.tif 000009